(57)【要約】【課題】  洗面化粧台周りの動作の邪魔にならず洗面化粧台における空間を有効利用した物干し具を備えた洗面化粧台を提供することを課題とする。【解決手段】  上記課題を解決するために、本発明は洗面台と前記洗面台の上方かつ奥側に配置された化粧鏡と、前記化粧鏡の上方に配置された収納棚と、保持部を有する物干し具とを備え、前記収納棚前面は前記化粧鏡前面より手前側に配置され、前記保持部は前記化粧鏡の上端縁より上方かつ前記収納棚の下端縁より下方に配置されることを特徴とする洗面化粧台を提供する。【選択図】  図１
2006271852.tif 000002
【特許請求の範囲】
【請求項１】
洗面台と前記洗面台の上方かつ奥側に配置された化粧鏡と、前記化粧鏡の上方に配置された収納棚と、保持部を有する物干し具とを備え、前記収納棚前面は前記化粧鏡前面より手前側に配置され、前記保持部は前記化粧鏡の上端縁より上方かつ前記収納棚の下端縁より下方に配置されることを特徴とする洗面化粧台。
【請求項２】
前記洗面台の上部に洗面器を有し、前記保持部は前記洗面器前縁より奥側に配置されることを特徴とする請求項１記載の洗面化粧台。
【請求項３】
前記物干し具を固定する固定部は前記化粧鏡の上端縁より上方かつ前記化粧鏡前面と前記収納棚前面との間に配置されることを特徴とする請求項１または２記載の洗面化粧台。
【請求項４】
前記洗面台より上方かつ前記化粧鏡上端縁より下方に前記洗面台手前方向に移動可能な移動扉を備えたことを特徴とする請求項１乃至３いずれかに記載の洗面化粧台。
【請求項５】
前記化粧鏡は主鏡と前記主鏡の左右に配置された袖鏡とを有する三面鏡であることを特徴とする請求項１乃至４いずれかに記載の洗面化粧台。
【請求項６】
前記保持部を前記洗面台手前方向に引き出し可能にする移動手段を備えたことを特徴とする請求項１乃至５いずれかに記載の洗面化粧台。
【請求項７】
前記移動手段は、前記収納棚下部に固定された内部が中空の中空棒と、前記中空棒内を摺動可能な摺動棒とを備え、前記中空棒内を摺動することで前記摺動棒に固定された前記保持部が引き出し可能となることを特徴とする請求項６記載の洗面化粧台。
【請求項８】
前記中空棒の奥側には隙間を介して照明が配置され、前記中空棒は両端が開放され、
前記摺動棒は前記中空棒より長く形成され、前記摺動棒が収納された状態において前記中空棒と前記照明との隙間を埋めるように突出した状態になることを特徴とする請求項７記載の洗面化粧台。
【発明の詳細な説明】
【技術分野】
【０００１】
本発明は物干し具を備えた洗面化粧台に関するものである。
【背景技術】
【０００２】
従来の洗面化粧台は鏡の前面に折り畳み可能なタオル掛けを設けたものが開示されている（例えば、特許文献１参照）。このような場合、タオル掛け使用時には鏡の前面にタオル掛けバーが配置されるため、衣服やバスタオルを干した場合には水栓および洗面器に触れてしまい大きな洗濯物を干すには不具合があった。また、使用者が鏡を見る際に使用者と鏡の間にタオル掛けが配置されるため鏡を見る際にはタオル掛けを折り畳む必要があり面倒であるという問題点があった。また、洗濯物を干した際に洗濯物が鏡に当たらない位置に持ってくるには物干しを長くする必要があり、強度の問題点があった。
【０００３】
また、キャビネットの上部に引き出し自在のハンガーを設けたものが開示されている（例えば、特許文献２参照）。しかし、このような場合、物干しバーに洗濯物を干すとキャビネット前面の扉に濡れた洗濯物が触れてしまうためハンガーを長く引き出す必要があり、強度を強くする必要があった。更に、ハンガーに洗濯物を干している際にはキャビネット前面扉の開閉の邪魔になるという問題点があった。
【特許文献１】特開２０００−１０７０５３号公報
【特許文献２】特開平９−１４９８２６号公報
【発明の開示】
【発明が解決しようとする課題】
【０００４】
本発明は、上記問題を解決するためになされたもので、本発明の課題は、洗面化粧台周りの動作の邪魔にならず、空間を有効利用した物干し具を備えた洗面化粧台を提供することである。
【課題を解決するための手段】
【０００５】
上記目的を達成するために請求項１記載の発明によれば、洗面台と前記洗面台の上方かつ奥側に配置された化粧鏡と、前記化粧鏡の上方に配置された収納棚と、保持部を有する物干し具とを備え、前記収納棚前面は前記化粧鏡前面より手前側に配置され、前記保持部は前記化粧鏡の上端縁より上方かつ前記収納棚の下端縁より下方に配置されることを特徴とする洗面化粧台により、洗面台と化粧鏡と収納棚とで形成される凹空間を有効利用して洗濯物を干すことができる。
更に、保持部が化粧鏡より上方かつ前記収納棚より下方にあることで、洗濯物を干した際に化粧台に洗濯物が触れにくくなる。また、使用者が鏡を見る際に物干しが邪魔にならないため使い勝手がよい。
【０００６】
また、請求項２記載の発明によれば、前記洗面台の上部に洗面器を有し、前記保持部は前記洗面器前縁より奥側に配置されることを特徴とする請求項１記載の洗面化粧台により、洗濯物をかける保持部が洗面器より奥側に配置されるため、洗面器内に洗濯物からの水が着水し、周りの床が水濡れしにくくなる。
【０００７】
また請求項３記載の発明によれば、前記物干し具を固定する固定部は前記化粧鏡の上端縁より上方かつ前記化粧鏡前面と収納棚前面との間に配置されることを特徴とする請求項１または２記載の洗面化粧台により、凹空間を有効利用して化粧鏡より手前側に物干し具の固定部を配置するため、固定部と保持部との距離が短くても洗濯物が化粧鏡に触れない位置に保持部を配置することが可能となる。また、固定部と保持部との距離が短くても化粧鏡に触れないため、強度を強く保つことができる。
【０００８】
また、請求項４記載の発明によれば、前記洗面台より上方かつ前記化粧鏡上端縁より下方に前記洗面台手前方向に移動可能な移動扉を備えたことを特徴とする請求項１乃至３いずれかに記載の洗面化粧台により、保持部が化粧鏡より上方に配置されているため、収納部や扉を洗面台手前方向に移動させる動作において保持部が邪魔にならない。
【０００９】
また、請求項５記載の発明によれば、前記化粧鏡は主鏡と、前記主鏡の左右に配置された袖鏡とを有する三面鏡であることを特徴とする請求項１乃至４いずれかに記載の洗面化粧台により、保持部が化粧鏡より上方に配置されているため、左右の袖鏡を開閉させて三面鏡として使用する際に保持部が邪魔にならない。
【００１０】
また、請求項６記載の発明によれば、前記保持部を前記洗面台手前方向に引き出し可能にする移動手段を備えたことを特徴とする請求項１乃至５記載の洗面化粧台により、洗濯物をかける時のみ物干し具を引き出すことができ、洗濯物をかけない時には邪魔にならない位置に物干し具を収納することができる。
【００１１】
また、請求項７記載の発明によれば、前記移動手段は、前記収納棚下部に固定された内部が中空の中空棒と、前記中空棒内を摺動可能な摺動棒とを備え、前記中空棒内を摺動することで前記摺動棒に固定された前記保持部が引き出し可能となることを特徴とする請求項６記載の洗面化粧台により、洗濯物をかけない時には物干し具を収縮させコンパクトに収納し、洗濯物をかける時には長く引き出すことが可能となる。
【００１２】
また、請求項８記載の発明によれば、前記中空棒の奥側には隙間を介して照明が配置され、前記中空棒は両端が開放され、前記摺動棒は前記中空棒より長く形成され、前記摺動棒が奥側に収納された状態で前記中空棒と前記照明との隙間を埋めるように突出した状態になることを特徴とする洗面化粧台により、洗面化粧台の限られたスペースにおいて、収納棚の下部に照明と物干し具を配置しても、摺動棒を引き出すことで中空棒と照明との間の隙間を利用して照明のメンテナンスが容易にできる。
【発明の効果】
【００１３】
本発明によれば、洗面化粧台周りの動作の邪魔にならず、空間を有効利用した物干し具を備えた洗面化粧台を提供することを可能とした。
【発明を実施するための最良の形態】
【００１４】
本発明の第一の実施例を説明する。
【００１５】
本発明による洗面化粧台１は、図１に示すように、洗面台２と、洗面台２の上部に配置された洗面器３と、洗面台２の前面に開閉可能に設けられた洗面台前扉４と、洗面台２と洗面器３の奥側かつ上方に配置された化粧鏡５と、化粧鏡５の左右に配置された収納部６と収納部６の前面を覆う開閉可能な収納扉７と、化粧鏡５の上方かつ手前側に開閉可能な収納棚前扉９を有する収納棚８と、化粧鏡５と収納棚８との間に配置された照明１１と、収納棚８下部に固定され、化粧鏡５より上方かつ収納棚８より下方に洗濯物２１をかける保持部５０を有するコ字状の物干し具１０を備えている。
尚、収納棚８前面は洗面台２前面より奥側かつ化粧鏡５前面より手前側に配置される。
【００１６】
使用者は化粧鏡５を見る際、保持部５０が化粧鏡５の上方に配置されており、使用者と鏡５との間に保持部５０が介在しないため邪魔にならない。このため、使用者は、物干し具１０が邪魔にならずに化粧鏡５を不快なく使用することができる。
また、収納棚８底面より下方に物干し具１０の保持部５０が配置されるため、収納棚前扉９の開閉動作を行う際に収納棚前扉９が物干し具１０に当たることがない。
また、好ましくは保持部５０、固定部５１は、垂直方向で照明１１の略中心部より上方に配置されると、照明１１と使用者との間に保持部５０および固定部５１が介在しないため、化粧鏡５を見る際に使用者の顔に影ができないため使用者は物干し具１０を不快に感じない。
【００１７】
また、図２に示すように、洗濯物２１を保持部５０にかけた状態において、保持部５０は化粧鏡５の上方に配置されているため、大きな洗濯物２１を干した場合であっても洗面器３および水栓２２に触れにくい位置に洗濯物２１は配置されるため使い勝手が良い。
また、垂直方向高さで水栓より上方に洗濯物２１が配置されるため使用者は洗濯物２１を干している状態であっても水栓２２を使用することが出来る。
【００１８】
また、物干し具１０の保持部５０を洗面器３前縁より奥側に配置すると、洗濯物２１は洗面器３の上方にあり、洗面器３内に洗濯物２１から落ちる水は着水し、周りの床が水濡れしにくくなる。また、物干し具１０の保持部５０が洗面器３から突出した位置にならないため使用者が洗面化粧台１の前を通る際に物干し具１０が邪魔にならない。
【００１９】
また、化粧鏡５の前方に洗濯物２１を干す場合、洗濯物２１が化粧鏡５に当たらないようにするため、保持部５０と化粧鏡５との距離を長く取る必要がある。しかし、保持部５０までの距離を長くすると強度が弱くなるという問題点がある。本発明の構成によれば、洗面台２上面と、洗面台２の上方かつ奥側に配置された化粧鏡５の前面と、化粧鏡５の上方且つ手前側に前面を有する収納棚８底面とで形成される凹空間を利用して収納棚８の下部に物干し具１０を固定している。そのため、化粧鏡５より手前側の収納棚８下部に固定部５１を配置することで、固定部５１と化粧鏡５との距離を稼ぐことができる。このため保持部５０と固定部５１との距離が短くても、洗濯物２１が化粧鏡５に触れない位置に保持部５０を配置することが可能になるとともに、保持部５０と固定部５１との距離が短くなるため強度を強くすることができる。尚、保持部５０と固定部５１との距離とはコ字状の横方向の長さである。
尚、本実施例では固定部５１を収納棚８の下部に取り付けたが収納棚８側部または収納棚８側壁に設けても良い。つまり、保持部５０が収納棚８の下方かつ化粧鏡５の上方に配置され、固定部５１が化粧鏡５前面と収納棚８前面との間かつ化粧鏡５より上方に配置されていれば、凹空間を有効に利用することができる。
【００２０】
また、図１に示すように保持部５０が化粧鏡５の上方に配置されるため、化粧鏡５の左右に配置された収納扉７の開閉動作の邪魔にならない。このため使用者は収納扉７を開いて、その奥側の収納部６内に収納されている収納物の取り出し、および収納が出来る。収納部６は使用者にとって、収納物の取り出しが容易な位置にあるため、歯ブラシや歯磨き粉、髭剃り、洗顔用品、コップなど日常において使用頻度の高い物を収納していることが多い。そのため、頻繁に収納扉７の開閉動作を伴う。本発明の構成では、保持部５０の下方に収納扉７が配置されているため、物干し具１０が邪魔にならずに収納扉７の開閉動作を行うことができるため使い勝手が良い。
【００２１】
尚、収納部６を覆う収納扉７は開閉式によるものだけでなく、洗面器３手前方向に引き出し可能なスライド式のものであっても良い。
【００２２】
更に、収納扉７の前面に鏡を取り付けて三面鏡として使用しても良い。この場合、化粧鏡５が主鏡、収納扉７前面の鏡が袖鏡としての役割を果たす。三面鏡として用いる際には左右の袖鏡を開くことが必要となるが、保持部５０が化粧鏡５より上方に配置されているため、袖鏡の開閉動作の邪魔にならないため使用者は不敏なく三面鏡を使用することができる。また、割れ物である鏡に物干し具１０が当たることが無いため、鏡が物干し具１０に当たって割れる心配が無い。
【００２３】
物干し具１０の別の実施形態として、引き出し自在な移動手段を備えたコ字状の物干し具３００について説明する。
【００２４】
図３を用いて、上記した引き出し自在な物干し具３００について詳細に説明する。図３（ａ）は物干し具３００を収納した状態であり、図３（ｂ）は物干し具３００を引き出した状態である。
物干し具３００は収納棚８の下部に物干し具３００を（図示しない）ビス止めして固定する固定部１０２を左右に二箇所設け、固定部１０２は引き出し方向側が開放された半円筒形状の棒状部材であり、固定部１０２の内部を摺動することで洗面器３手前方向に引き出し可能にする引出し部１０１と、左右二つの引き出し部１０１の洗面器３手前側の端部を繋いで横方向に配置された保持部１００を備えている。
以上によって物干し具３００はコ字状に形成されており、使用者は保持部１００に洗濯物２１をかけて干すことができる。
【００２５】
尚、固定部１０２および引き出し部１０１の断面は円形状であっても多角形状であっても良く、固定部１０２内を引き出し部１０１が摺動可能になるように形成されていれば良い。
また、本実施例においては物干し具３００をコ字状としたが、物干し具３００はＬ字状であってもロ字状であっても良く、固定部１０２の数を変更しても良い。つまり、洗濯物２１をかける保持部１００が正面視で横方向に配置され、洗面器３手前方向に引き出し可能になっていれば良い。更に、保持部１００と引き出し部１０１は一体成形であっても良いし、別体で成形されたものを組み合せたものであっても良い。
【００２６】
次に、図３を用いて物干し具３００の収納状態および引き出し状態について説明する。
【００２７】
まず、図３（ａ）を用いて、物干し具３００が収納された状態における洗面化粧台１の使い勝手について説明する。使用者は化粧鏡５を見る際、物干し具３００が化粧鏡５の上方に配置されており、使用者と化粧鏡５との間に物干し具３００の保持部１００が介在しないため邪魔にならない。
また、物干し具３００の保持部１００が、取っ手１２全面部より奥側、より好ましくは収納棚前扉９より奥側かつ収納棚８の底部より下方かつ化粧鏡５より上方に配置されるため、収納棚前扉９の取っ手１２を掴んで収納棚８内の収納物の取り出し及び物を収納する際に、物干し具３００が邪魔にならずに、収納棚前扉９の開閉を行うことができる。
また、洗面台２と化粧鏡５と収納棚８とで形成される凹空間のデッドスペースに保持部１００が配置されるため、美観性が良く使用者は物干し具３００を邪魔に感じることなく、他の洗面化粧動作を行うことが出来る。尚、ここで示した凹空間とは、洗面台２上面と、洗面台２の上方かつ奥側に配置された化粧鏡５の前面と、化粧鏡５の上方且つ手前側に前面を有する収納棚８底面とで形成される空間であり、洗面化粧台１ならではの空間スペースである。
【００２８】
次に、図３（ｂ）を用いて、物干し具３００が引き出された状態における洗面化粧台１の使い勝手について説明する。使用者は図３（ａ）の状態から正面視で横方向に配置された保持部１００を持って手前方向に引き出すことにより、図３（ｂ）のように保持部１００は収納棚８の前面扉９と正面視で平行に突き出した状態となる。保持部１００は洗面台２前面より奥側に位置するように引き出し部の引き出し長さは規制されている。
使用者は化粧鏡５を見る際、物干し具３００の保持部１００が化粧鏡５の上方に配置されており、使用者と鏡５との間に保持部１００が介在しないため邪魔にならない。このため、使用者は、物干し具３００を引き出した状態であっても化粧鏡５を不快なく使用することができる。
また、収納棚８底面より下方に物干し具３００の保持部１００が配置されるため、収納棚前扉９の開閉動作を行う際に収納棚前扉９が物干し具３００に当たることがない。
【００２９】
次に、図４を用いて、物干し具３００を引き出して洗濯物２１を干した状態における洗面化粧台１の使い勝手について説明する。洗濯物２１を物干し具３００の保持部１００にかけた状態において、保持部１００は化粧鏡５の上方に配置されているため、大きな洗濯物２１を干した場合であっても洗面器３および水栓２２に触れない位置に洗濯物２１は配置されるため使い勝手が良い。
また、垂直方向高さで水栓２２より上方に洗濯物２１があるため使用者は洗濯物２１を干している状態であっても水栓２２を使用することが出来る。
更に、物干し具３００の保持部１００は洗面器３前縁まで移動可能とすることにより、物干し具３００を最大に引き出した状態においても、保持部１００が洗面器３前縁部までしか引き出せないように規制されているため、引き出した状態であっても、洗濯物２１は洗面器３の上方にあり洗面器３内に洗濯物２１から落ちる水は着水し、周りの床が水濡れしない。更に、物干し具３００の保持部１００が洗面器３から突出した位置にならないため使用者が洗面化粧台１の前を通る際に洗濯物３００が邪魔にならない。
【００３０】
また、化粧鏡５の前方に洗濯物２１を干す場合、洗濯物２１が化粧鏡５に当たらないようにするため、保持部１００と化粧鏡５との距離を長く取る必要がある。しかし、物干し具３００を長くすると強度が弱くなるという問題点がある。本発明の構成によれば、洗面台２上面と、洗面台２の上方かつ奥側に配置された化粧鏡５の前面と、化粧鏡５の上方且つ手前側に前面を有する収納棚８底面とで形成される凹空間を利用して収納棚８の下部に物干し具３００を取り付けている。そのため、化粧鏡５より手前側の収納棚８下部に固定部１０２を配置することで、固定部１０２と化粧鏡５との距離が稼ぐことができる。このため保持部１００を長く引き出さなくても、洗濯物２１が化粧鏡５に触れない位置に保持部１００を配置することが可能になるとともに、保持部１００と固定部１０２との距離が短くなるため強度を強くすることができ、更に洗濯物を干さない時には邪魔にならないように収納することができる。
また、引き出し可能としたことで、洗濯物２１を干している際にも保持部１００を引き出すことで収納棚８前面の収納扉の開閉動作の邪魔にならないで済む。このため洗濯物を干している時も、収納棚８から収納物を取り出すことができる。
尚、本実施例では固定部１０２を収納棚８の下部に取り付けたが、収納棚８側部または収納棚８側壁に設けても良い。つまり、保持部１００が収納棚８の下方かつ化粧鏡５の上方に配置され、固定部１０２が化粧鏡５より手前側かつ化粧鏡５より上方に配置されていれば、凹空間を有効に利用することができる。
【００３１】
物干し具１０の別の実施形態として、図５に示すように、移動手段が伸縮可能なものであっても良い。図５（ａ）は物干し具４００を収納した状態の詳細図であり、図５（ｂ）は物干し具４００を引き出した状態の詳細図である。
収納棚８下部に固定される固定部１０２は引き出し方向側が貫通した半円筒形状の棒状部材であり、固定部１０２内を摺動することで洗面器３手前側方向に引き出し可能にする引出し部１０２が複数段、伸縮可能に形成されており、その最内側の引き出し方向側の端部に保持部１００が接続されている。引き出し部１０１を複数段伸縮可能にしたことで長く引き出すことが可能となる。
伸縮可能になっているため、不使用時にはコンパクトに収納することができ、複数段になっているため、固定部１０２の長さが短くても長く引き出すことが可能となる。
【００３２】
本発明の第二の実施例を説明する。
【００３３】
本実施例による洗面化粧台１は、図６に示すように、洗面台２と、洗面台２の上部に配置された洗面器３と、洗面台２の前面に開閉可能に設けられた洗面台前扉４と、洗面器３の奥側かつ上方に配置された化粧鏡５と、化粧鏡５の上方に配置され前面に収納棚前扉９を有する収納棚８と、収納棚８の下部に洗面器３手前方向に引き出し可能なコ字状に形成された三段式の伸縮可能な物干し具５００と物干し具５００の奥側（後述する摺動棒２０２が収納した状態で当たらない位置）かつ化粧鏡５と収納棚８との間に配置された照明１１を備えている。ここで、化粧鏡の奥側には収納部があり、化粧鏡５は片側の端部を軸として開閉自在である。
尚、図６において上記した実施例１と同番号で示しているものは実施例１と同じ構成であり同様の効果を成し得る。
【００３４】
次に、図６および図７を用いて本実施例における伸縮自在な物干し具５００について詳細に説明する。図６に示すように、物干し具５００を（図示しない）ビスを用いて収納棚８の下部に固定する固定部１９３を２箇所設け、固定部１９３内を摺動することで伸縮し、洗面器３手前方向に引き出し可能な引き出し部１９２と、引き出し部１９２の洗面器３手前方向の端部を繋ぐ保持部１９１とを備えている。以上の構成により物干し具５００はコ字状に形成される。ここで、固定部１９３と照明１１との間には照明カバーを取り外しできる程度の隙間を空けておくこととする。
尚、本実施例においては物干し具５００をコ字状としたが、物干し具５００はＬ字状であってもロ字状であっても良く、固定部１９３の数を変更しても良い。つまり、洗濯物２１をかける保持部１９１が横方向に配置され、洗面器３手前側に引き出し可能になっていれば良い。更に、保持部１９１と引き出し部１９２は一体成形であっても良いし、別体で成形されたものを組み合せたものであっても良い。
【００３５】
図６をさらに詳しく説明する。図７（ａ）は物干し具５００を収納した状態、図７（ｂ）は物干し具５００を引き出した状態を示す詳細図である。図７に示すように、固定部１９３は両端が開放した中空棒２０３で形成されており、中空棒２０３内を引き出し部１９２が摺動可能となっている。引き出し部１９２は引き出し方向とは逆側の端部が塞がれている筒形状の第一摺動棒２０２で形成されており、第一摺動棒２０２は中空棒２０３より長く形成されている。この際、第一摺動棒２０２は中空棒２０３の引き出し方向とは逆の端部から突出した位置まで移動可能であり、照明１１と当たらないようににストッパーを備えて、第一摺動棒２０２と照明１１が当たらないように規制している。更に、第一摺動棒内２０２を摺動可能な第二摺動棒２０４を備え、第二摺動棒２０４は第一摺動棒２０２内の奥側の端部が塞がれていることで、第一摺動棒２０２の奥側の端部から突出しないように規制されている。また、第二摺動棒２０４の引き出し方向側の端部は洗濯物２１をかける保持部２０１が横方向に接続されている。
【００３６】
本実施例による洗面化粧台１によって、収納棚８の下部に伸縮自在な物干し具５００を備え、物干し具５００の奥側に照明１１を配置した場合であっても、物干し具５００の使用時は第一摺動棒２０２が中空棒２０３の両端を貫通して照明１１と中空棒２０３との間の隙間を埋めるように中空棒２０３より長く形成されているため、洗面器３手前方向に長く引き出すことができる。また、照明１１のカバーを取り替える際には、物干し具５００を引き出した状態にすれば、中空棒２０３と照明１１との間には照明カバーを取り外せる隙間を第一摺動棒２０２が埋めていないため、物干し具５００を取り外さなくても照明１１のメンテナンスが可能となる。本構成によると、収納棚８下部の限られたデッドスペースを有効に利用することができる。照明１１のメンテナンスを行う際には中空棒２０３と照明１１との間に隙間を第一摺動棒２０２が埋めないようにし、照明１１のメンテナンスを行わない際には、収納時は摺動棒２０２が中空棒２０３の奥側の端部から突出した状態となり、照明１１と中空棒２０３との間の隙間を埋めるように配置され、物干し具５００の引出し時には突出した分だけ保持部２０１を長く引き出すことが可能となる。
【００３７】
本実施例においては、中空棒２０３と第一摺動棒２０２と第二摺動棒２０４から成る三段伸縮可能な物干し具５００を示したが、複数段であれば何段であってもよく、保持部２０１をより長く引き出すことができる。。
また、中空棒２０３は両端が貫通された複数の棒状部材が伸縮自在に重なり合い、その最内側に配置された中空棒２０３の内側を第一摺動棒２０２が摺動できれば何段式であっても良く、第一摺動棒２０２が奥側に突出した状態で照明１１とぶつからない位置に規制されていれば良い。
【図面の簡単な説明】
【００３８】
【図１】本発明実施例１の洗面化粧台の外観斜視図
【図２】本発明実施例１の洗濯物を干した状態を示す図
【図３】移動手段を備えた物干し具の拡大図
【図４】移動手段を備えた物干し具に洗濯物を干した状態を示す図
【図５】移動手段を備えた物干し具における別の実施形態の詳細図
【図６】本発明実施例２の洗面化粧台の外観斜視図
【図７】本発明実施例２における物干し具の詳細図
【符号の説明】
【００３９】
１…洗面化粧台
２…洗面台
３…洗面器
４…洗面台前扉
５…化粧鏡
６…収納部
７…収納扉
８…収納棚
９…収納棚前扉
１０、３００、４００、５００…物干し具
１１…照明
１２…取っ手
２１…洗濯物
２２…水栓
５０、１００、１９１、２０１…保持部
５１、１０２、１９３…固定部
１０１、１９２…引出し部
２０２…第一摺動棒
２０３…中空棒
２０４…第二摺動棒
【図１】
2006271852.tif 000003
【図２】
2006271852.tif 000004
【図３】
2006271852.tif 000005
【図４】
2006271852.tif 000006
【図５】
2006271852.tif 000007
【図６】
2006271852.tif 000008
【図７】
2006271852.tif 000009
【手続補正書】
【提出日】平成17年4月18日(2005.4.18)
【手続補正１】
【補正対象書類名】図面
【補正対象項目名】全図
【補正方法】変更
【補正の内容】
【図１】
2006271852.tif 000010
【図２】
2006271852.tif 000011
【図３】
2006271852.tif 000012
【図４】
2006271852.tif 000013
【図５】
2006271852.tif 000014
【図６】
2006271852.tif 000015
【図７】
2006271852.tif 000016